(57)【要約】【課題】ユーザーの利便性を向上させることが可能な技術を提供する。【解決手段】外部装置と無線接続される無線通信装置であって、第一の近距離無線通信を行う第一無線通信部と、前記第一の近距離無線通信よりも通信可能範囲が狭い第二の近距離無線通信を行う第二無線通信部と、前記第一の近距離無線通信により前記外部装置との接近が検出された場合に前記第二の近距離無線通信を通信可能な設定にする処理を行う制御部と、を備える、無線通信装置。【選択図】図３
2018074458.tif 000002
【特許請求の範囲】
【請求項１】
外部装置と無線接続される無線通信装置であって、
第一の近距離無線通信を行う第一無線通信部と、
前記第一の近距離無線通信よりも通信可能範囲が狭い第二の近距離無線通信を行う第二無線通信部と、
前記第一の近距離無線通信により前記外部装置との接近が検出された場合に前記第二の近距離無線通信を通信可能な設定にする処理を行う制御部と、を備える、無線通信装置。
【請求項２】
前記第二の近距離無線通信よりも通信可能範囲が広い第三の無線通信を行う第三無線通信部を備え、
前記制御部は、前記第二の近距離無線通信が通信可能な設定にされると、前記第二無線通信部により前記外部装置から前記第三の無線通信を行うための設定情報を受信し、前記第三無線通信部により前記設定情報に基づいて前記外部装置と前記第三の無線通信を行う、請求項１に記載の無線通信装置。
【請求項３】
前記第三無線通信部は、前記第三の無線通信が通信可能な設定にされている時において該第三の無線通信を行い、
前記制御部は、前記第一の近距離無線通信により前記外部装置との接近が検出された場合に前記第三の無線通信を通信可能な設定にする処理を行う、請求項２に記載の無線通信装置。
【請求項４】
前記第二の近距離無線通信を通信可能な設定にして前記外部装置と無線通信を行う処理を行う機能をコンピューターに実現させるアプリケーションプログラムを記憶した記憶部を備え、
前記制御部は、前記第一の近距離無線通信により前記外部装置との接近が検出された場合に、前記アプリケーションプログラムを起動させることにより前記第二の近距離無線通信を通信可能な設定にして前記外部装置と無線通信を行う処理を行う、請求項１〜請求項３のいずれか一項に記載の無線通信装置。
【請求項５】
前記制御部は、
前記第一の近距離無線通信により前記外部装置との接近が検出された場合に前記第二の近距離無線通信に設定されていた元の設定を記憶して前記第二の近距離無線通信を通信可能な設定にする処理を行い、
前記第一の近距離無線通信により前記外部装置との接近が検出されなくなると、前記第二の近距離無線通信を前記元の設定にする処理を行う、請求項１〜請求項４のいずれか一項に記載の無線通信装置。
【請求項６】
前記制御部は、前記外部装置と前記第二の近距離無線通信を必要とする処理を行うための画面が表示されている状態において前記第一の近距離無線通信により前記外部装置との接近が検出された場合に、前記第二の近距離無線通信を通信可能な設定にする処理を行う、請求項１〜請求項５のいずれか一項に記載の無線通信装置。
【請求項７】
前記制御部は、表示させる操作を受け付けた画像が表示されている状態において前記第一の近距離無線通信により前記外部装置との接近が検出された場合に、前記第二の近距離無線通信を通信可能な設定にする処理を行う、請求項１〜請求項６のいずれか一項に記載の無線通信装置。
【請求項８】
前記制御部は、前記第一の近距離無線通信により前記外部装置との接近が検出されると、前記第一無線通信部により前記外部装置から受信される情報が前記第二の近距離無線通信に対応していることを表す情報である場合において前記第二の近距離無線通信を通信可能な設定にする処理を行う、請求項１〜請求項７のいずれか一項に記載の無線通信装置。
【請求項９】
前記外部装置は、前記第二の近距離無線通信が通信可能な設定にされている時において該第二の近距離無線通信を行う外部装置用無線通信部を備えており、
前記制御部は、前記第一無線通信部により前記外部装置と前記第一の近距離無線通信を確立すると、前記外部装置用無線通信部を通信可能な設定にする情報を前記第一無線通信部により前記外部装置に送信する処理を行う、請求項１〜請求項８のいずれか一項に記載の無線通信装置。
【請求項１０】
第一の近距離無線通信を行う第一無線通信部と、前記第一の近距離無線通信よりも通信可能範囲が狭い第二の近距離無線通信を行う第二無線通信部と、を備え、外部装置と無線接続される無線通信装置の制御方法であって、
前記第一の近距離無線通信により前記外部装置との接近が検出された場合に前記第二の近距離無線通信を通信可能な設定にする処理を行う、無線通信装置の制御方法。
【請求項１１】
第一の近距離無線通信を行う第一無線通信部と、前記第一の近距離無線通信よりも通信可能範囲が狭い第二の近距離無線通信を行う第二無線通信部と、を備え、外部装置と無線接続される無線通信装置の制御プログラムであって、
前記第一の近距離無線通信により前記外部装置との接近が検出された場合に前記第二の近距離無線通信を通信可能な設定にする処理を行う機能をコンピューターに実現させる、無線通信装置の制御プログラム。
【発明の詳細な説明】
【技術分野】
【０００１】
本発明は、外部装置と無線接続される無線通信装置、並びに、その制御方法及び制御プログラムに関する。
【背景技術】
【０００２】
近年、スマートフォン等といった無線通信装置をプリンター等といった外部装置に近付けて高速無線通信によりデータを送受信することが行われている。特許文献１に示される情報処理システムは、無線通信装置である携帯端末装置と外部装置である複合機との間でＮＦＣ（Near Field Communication）と呼ばれる近距離無線通信を行って接続を確立した後にBluetooth（登録商標）規格の高速無線通信に切り換えて印刷用データを送受信して印刷を行っている。ＮＦＣは、ユーザーが複合機の所定の接触位置に携帯端末を接触させること、すなわち、複合機のＮＦＣ通信部に携帯端末のＮＦＣ通信部を近付けることにより行われる。
【０００３】
また、消費電力削減やセキュリティ向上のため、スマートフォン等といった無線通信装置では、ＮＦＣがオフ（無効）の設定で用いられていることも多い。
【先行技術文献】
【特許文献】
【０００４】
【特許文献１】特開２００９−１３５８６５号公報
【発明の概要】
【発明が解決しようとする課題】
【０００５】
無線通信装置の近距離無線通信がオフに設定されていると、無線通信装置をプリンター等といった外部装置に近付けても接続を確立することができず、データを送受信することができない。
【０００６】
本発明の目的の一つは、ユーザーの利便性を向上させることが可能な技術を提供することにある。
【課題を解決するための手段】
【０００７】
上記目的の一つを達成するため、本発明は、外部装置と無線接続される無線通信装置であって、
第一の近距離無線通信を行う第一無線通信部と、
前記第一の近距離無線通信よりも通信可能範囲が狭い第二の近距離無線通信を行う第二無線通信部と、
前記第一の近距離無線通信により前記外部装置との接近が検出された場合に前記第二の近距離無線通信を通信可能な設定にする処理を行う制御部と、を備える、態様を有する。
【０００８】
また、本発明は、第一の近距離無線通信を行う第一無線通信部と、前記第一の近距離無線通信よりも通信可能範囲が狭い第二の近距離無線通信を行う第二無線通信部と、を備え、外部装置と無線接続される無線通信装置の制御方法であって、
前記第一の近距離無線通信により前記外部装置との接近が検出された場合に前記第二の近距離無線通信を通信可能な設定にする処理を行う、態様を有する。
【０００９】
さらに、本発明は、第一の近距離無線通信を行う第一無線通信部と、前記第一の近距離無線通信よりも通信可能範囲が狭い第二の近距離無線通信を行う第二無線通信部と、を備え、外部装置と無線接続される無線通信装置の制御プログラムであって、
前記第一の近距離無線通信により前記外部装置との接近が検出された場合に前記第二の近距離無線通信を通信可能な設定にする処理を行う機能をコンピューターに実現させる、態様を有する。
【００１０】
上述した態様は、ユーザーの利便性を向上させることが可能な技術を提供することができる。
【図面の簡単な説明】
【００１１】
【図１】無線通信装置を含むシステムの構成例を模式的に示すブロック図。
【図２】専用ＡＰＬにより表示される各種画面の例を模式的に示す図。
【図３】無線通信装置で行われる印刷制御処理の例を示すフローチャート。
【図４】外部装置からの第一の近距離無線通信によるビーコンの構造例を模式的に示す図。
【図５】第二の近距離無線通信と第三の無線通信の設定が変わる例を模式的に示す図。
【図６】無線通信装置で行われる別の印刷制御処理の例を示すフローチャート。
【図７】無線通信装置で行われる別の印刷制御処理の例を示すフローチャート。
【図８】無線通信装置で行われる別の印刷制御処理の例を示すフローチャート。
【図９】無線通信装置を含むシステムで行われる処理の例を示すフローチャート。
【発明を実施するための形態】
【００１２】
以下、本発明の実施形態を説明する。むろん、以下の実施形態は本発明を例示するものに過ぎず、実施形態に示す特徴の全てが発明の解決手段に必須になるとは限らない。
【００１３】
（１）本発明に含まれる技術の概要：
まず、図１〜９に示される例を参照して本発明に含まれる技術の概要を説明する。尚、本願の図は模式的に例を示す図であり、各図は整合していないことがある。むろん、本技術の各要素は、符号で示される具体例に限定されない。
【００１４】
［態様１］
本技術の一態様に係る無線通信装置（例えば携帯端末１）は、第一無線通信部Ｕ１、第二無線通信部Ｕ２、及び、制御部ＵＣを備え、外部装置（例えばプリンター１００）と無線接続される。前記第一無線通信部Ｕ１は、第一の近距離無線通信（例えばＢＬＥ方式の近距離無線通信）を行う。前記第二無線通信部Ｕ２は、前記第一の近距離無線通信よりも通信可能範囲が狭い第二の近距離無線通信（例えばＮＦＣ方式の近距離無線通信）を行う。前記制御部ＵＣは、前記第一の近距離無線通信により前記外部装置（１００）との接近が検出された場合に前記第二の近距離無線通信を通信可能な設定にする処理（例えば図３のステップＳ１０８）を行う。
【００１５】
上記態様１は、第二の近距離無線通信が通信可能な設定にされていない状態で無線通信装置（１）と外部装置（１００）とが接近した時に第二の近距離無線通信が行われない事態を回避することができる。従って、上記態様１は、ユーザーの利便性を向上させることが可能な無線通信装置を提供することができる。
【００１６】
ここで、外部装置には、プリンターやディスプレイといった画像形成装置、スキャナーといった画像読取装置、画像形成装置と画像読取装置を組み合わせた複合機、等が含まれ、携帯型の装置も含まれる。
無線通信装置には、スマートフォンといった携帯電話、タブレット端末、等が含まれる。
外部装置との接近には、無線通信装置が移動して外部装置に近付くこと、外部装置が移動して無線通信装置に近付くこと、及び、無線通信装置と外部装置の両方が移動して近付くことが含まれる。
第一の近距離無線通信により外部装置との接近が検出されることには、外部装置からの第一の近距離無線通信が検出されること、外部装置との距離が所定範囲内であることが検出されること、等が含まれる。
通信可能な設定にする処理を行うことには、通信不可の設定を通信可能な設定に切り替えることのみならず、通信可能な設定を変えないことも含まれる。
外部装置との接近が検出された場合に第二の近距離無線通信を通信可能な設定にすることには、外部装置との接近が検出されると常に第二の近距離無線通信を通信可能な設定にすること、及び、外部装置との接近が検出されると所定の条件に限定して第二の近距離無線通信を通信可能な設定にすることが含まれる。
【００１７】
［態様２］
図１等に例示するように、本無線通信装置（１）は、前記第二の近距離無線通信（例えばＮＦＣ方式の近距離無線通信）よりも通信可能範囲が広い第三の無線通信（例えばWi-Fi Direct方式の無線通信）を行う第三無線通信部Ｕ３を備えてもよい。前記制御部ＵＣは、前記第二の近距離無線通信が通信可能な設定にされると、前記第二無線通信部Ｕ２により前記外部装置（１００）から前記第三の無線通信を行うための設定情報ＤＡ１を受信し、前記第三無線通信部Ｕ３により前記設定情報ＤＡ１に基づいて前記外部装置（１００）と前記第三の無線通信を行ってもよい。本態様は、第二の近距離無線通信が通信可能な設定にされると外部装置（１００）と第三の無線通信が行われるので、ユーザーの利便性をさらに向上させることが可能な技術を提供することができる。
尚、上記態様２には含まれないが、無線通信装置に第三無線通信部が無い場合も、本技術に含まれる。
【００１８】
［態様３］
前記第三無線通信部Ｕ３は、前記第三の無線通信（例えばWi-Fi Direct方式の無線通信）が通信可能な設定にされている時において該第三の無線通信を行ってもよい。前記制御部ＵＣは、前記第一の近距離無線通信（例えばＢＬＥ方式の近距離無線通信）により前記外部装置（１００）との接近が検出された場合に前記第三の無線通信を通信可能な設定にする処理を行ってもよい。本態様は、第三の無線通信が通信可能な設定にされていない状態で無線通信装置（１）と外部装置（１００）とが接近した時に第三の無線通信が行われない事態を回避することができる。従って、本態様は、ユーザーの利便性をさらに向上させることが可能な技術を提供することができる。
ここでも、通信可能な設定にする処理を行うことには、通信不可の設定を通信可能な設定に切り替えることのみならず、通信可能な設定を変えないことが含まれる。
尚、上記態様３には含まれないが、第三無線通信部が常時、通信可能である場合も、本技術に含まれる。
【００１９】
［態様４］
図１等に例示するように、本無線通信装置（１）は、前記第二の近距離無線通信（例えばＮＦＣ方式の近距離無線通信）を通信可能な設定にして前記外部装置（１００）と無線通信を行う処理を行う機能をコンピューターに実現させるアプリケーションプログラム（ＡＰＬ）を記憶した記憶部ＵＭを備えてもよい。前記制御部ＵＣは、前記第一の近距離無線通信（例えばＢＬＥ方式の近距離無線通信）により前記外部装置（１００）との接近が検出された場合に、前記アプリケーションプログラムを起動させることにより前記第二の近距離無線通信を通信可能な設定にして前記外部装置（１００）と無線通信を行う処理を行ってもよい。本態様は、無線通信装置（１）と外部装置（１００）とが接近した時にアプリケーションプログラムが起動して第二の近距離無線通信を通信可能な設定にして外部装置（１００）と無線通信を確立することができる。従って、本態様は、ユーザーの利便性をさらに向上させることが可能な無線通信装置を提供することができる。
【００２０】
［態様５］
図３等に例示するように、前記制御部ＵＣは、前記第一の近距離無線通信（例えばＢＬＥ方式の近距離無線通信）により前記外部装置（１００）との接近が検出された場合に前記第二の近距離無線通信（例えばＮＦＣ方式の近距離無線通信）に設定されていた元の設定Ｓ０２を記憶して前記第二の近距離無線通信を通信可能な設定にする処理を行ってもよい。また、前記制御部ＵＣは、前記第一の近距離無線通信により前記外部装置（１００）との接近が検出されなくなると、前記第二の近距離無線通信を前記元の設定Ｓ０２にする処理を行ってもよい。本態様は、外部装置（１００）の接近が検出されなくなると第二の近距離無線通信を元の設定Ｓ０２に戻すことができる。従って、本態様は、ユーザーの利便性をさらに向上させることが可能な無線通信装置を提供することができる。
ここで、元の設定にする処理を行うことには、通信可能な設定を通信不可の設定に切り替えることのみならず、通信可能な設定を変えないことも含まれる。
【００２１】
［態様６］
図２，７に例示するように、前記制御部ＵＣは、前記外部装置（１００）と前記第二の近距離無線通信（例えばＮＦＣ方式の近距離無線通信）を必要とする処理（例えば印刷）を行うための画面（例えば図２のプレビュー画面８３）が表示されている状態において前記第一の近距離無線通信（例えばＢＬＥ方式の近距離無線通信）により前記外部装置（１００）との接近が検出された場合に、前記第二の近距離無線通信を通信可能な設定にする処理を行ってもよい。外部装置（１００）と第二の近距離無線通信を必要とする処理を行うための画面（８３）が表示されている状態において外部装置（１００）との接近が検出される場合は、外部装置（１００）と第二の近距離無線通信を必要とする処理が行われる可能性が高い場合と推定される。本態様は、この場合に第二の近距離無線通信を通信可能な設定にすることができる。従って、本態様は、ユーザーの利便性をさらに向上させることが可能な無線通信装置を提供することができる。
ここで、外部装置と第二の近距離無線通信を必要とする処理には、外部装置がプリンターである場合の印刷、外部装置がディスプレイである場合の表示、外部装置が画像読取装置である場合の画像読み取り、等が含まれる。
【００２２】
［態様７］
また、図２，７に例示するように、前記制御部ＵＣは、表示させる操作を受け付けた画像ＩＭ１が表示されている状態において前記第一の近距離無線通信（例えばＢＬＥ方式の近距離無線通信）により前記外部装置（１００）との接近が検出された場合に、前記第二の近距離無線通信（例えばＮＦＣ方式の近距離無線通信）を通信可能な設定にする処理を行ってもよい。表示させる操作を受け付けた画像ＩＭ１が表示されている状態において外部装置（１００）との接近が検出される場合は、表示されている画像ＩＭ１が外部装置（１００）に送信されて外部装置（１００）で処理される可能性が高い場合と推定される。例えば、外部装置（１００）が印刷装置である場合、表示されている画像ＩＭ１が印刷装置で印刷される可能性が高いと推定される。本態様は、このような場合に第二の近距離無線通信を通信可能な設定にすることができる。従って、本態様は、ユーザーの利便性をさらに向上させることが可能な無線通信装置を提供することができる。
【００２３】
［態様８］
図８に例示するように、前記制御部ＵＣは、前記第一の近距離無線通信（例えばＢＬＥ方式の近距離無線通信）により前記外部装置（１００）との接近が検出されると、前記第一無線通信部Ｕ１により前記外部装置（１００）から受信される情報が前記第二の近距離無線通信（例えばＮＦＣ方式の近距離無線通信）に対応していることを表す情報である場合において前記第二の近距離無線通信を通信可能な設定にする処理を行ってもよい。この態様は、外部装置（１００）が第二の近距離無線通信に対応している場合において第二の近距離無線通信を通信可能な設定にすることができる。従って、本態様は、ユーザーの利便性をさらに向上させることが可能な無線通信装置を提供することができる。
【００２４】
［態様９］
図１に例示するように、前記外部装置（１００）は、前記第二の近距離無線通信（例えばＮＦＣ方式の近距離無線通信）が通信可能な設定にされている時において該第二の近距離無線通信を行う外部装置用無線通信部Ｕ１２を備えてもよい。図９に例示するように、前記制御部ＵＣは、前記第一無線通信部Ｕ１により前記外部装置（１００）と前記第一の近距離無線通信（例えばＢＬＥ方式の近距離無線通信）を確立すると、前記外部装置用無線通信部Ｕ１２を通信可能な設定にする情報（例えばＮＦＣオン指示）を前記第一無線通信部Ｕ１により前記外部装置（１００）に送信する処理を行ってもよい。本態様は、外部装置（１００）との第一の近距離無線通信が確立されると第二の近距離無線通信を行うための外部装置用無線通信部Ｕ１２を通信可能な設定にすることができる。従って、本態様は、ユーザーの利便性をさらに向上させることが可能な無線通信装置を提供することができる。
【００２５】
［態様１０］
ところで、本技術の一態様に係る無線通信装置（１）の制御方法は、前記第一の近距離無線通信（例えばＢＬＥ方式の近距離無線通信）により前記外部装置（１００）との接近が検出された場合に前記第二の近距離無線通信（例えばＮＦＣ方式の近距離無線通信）を通信可能な設定にする処理を行う工程を含む。この態様は、ユーザーの利便性を向上させることが可能な無線通信装置の制御方法を提供することができる。むろん、本技術には、上記態様２〜９に対応する制御方法も含まれる。
【００２６】
［態様１１］
また、本技術の一態様に係る無線通信装置（１）の制御プログラムは、前記第一の近距離無線通信（例えばＢＬＥ方式の近距離無線通信）により前記外部装置（１００）との接近が検出された場合に前記第二の近距離無線通信（例えばＮＦＣ方式の近距離無線通信）を通信可能な設定にする処理を行う機能をコンピューターに実現させる。この態様は、ユーザーの利便性を向上させることが可能な無線通信装置の制御プログラムを提供することができる。むろん、本技術には、上記態様２〜９に対応する制御プログラムも含まれる。
【００２７】
さらに、本技術は、無線通信装置を含む複合装置、複合装置の制御方法、複合装置の制御プログラム、無線通信装置や複合装置の制御プログラムを記録したコンピューター読み取り可能な媒体、等に適用可能である。前述の装置は、分散した複数の部分で構成されてもよい。
【００２８】
（２）印刷システムの構成の具体例：
図１は、無線通信装置を含む印刷システムの構成例を模式的に示している。図１に示す印刷システムＳＹ１は、スキャナー付きプリンター（外部装置の例）１００と携帯端末（無線通信装置の例）１を含んでいる。
【００２９】
図１に示すプリンター１００は、ＢＬＥ部１１０、ＮＦＣ部１２０、Ｗｉ−Ｆｉ部１３０、コントローラー１４０、表示操作部１４８、印刷部１５０、スキャン部１６０、等を備える複合機である。本技術の外部装置として画像形成装置の一種である印刷装置を適用する場合、印刷装置は、スキャナー付きプリンター以外にも、ファクシミリ付きプリンター、スキャン部の無いプリンター、等でもよい。
【００３０】
ＢＬＥ部１１０は、極低電力で近距離無線通信を行うことが可能なＢＬＥ（Bluetooth（登録商標） Low Energy）の仕様に従った近距離無線通信を行う。2.4GHz帯（ＩＳＭバンド）の電波を用い、最大1Mbpsの通信が可能である。尚、ＢＬＥ方式の近距離無線通信は、第一の近距離無線通信の例である。
【００３１】
ＮＦＣ部１２０は、携帯端末１とＮＦＣ方式の近距離無線通信を行うＮＦＣタグであり、情報を記録したＩＣ（集積回路）、ループアンテナ、及び、通信回路を備えている。ＮＦＣ方式の近距離無線通信のデータ転送速度は、例えば100〜400kbps程度である。ＮＦＣ方式の近距離無線通信の通信可能範囲は、ＢＬＥ方式の近距離無線通信の通信可能範囲よりも狭い。ＮＦＣ方式の近距離無線通信は、第二の近距離無線通信の例である。プリンター１００の筐体１７１（例えばプリンター１００の前面において筐体の一部を構成する表示操作部１４８）には、携帯端末１を接触（タッチ）させるための接触部１７２が設けられている。ＮＦＣ部１２０は、接触部１７２の裏側に配置されている。ＮＦＣ部１２０は、Ｗｉ−Ｆｉ部１３０による無線通信を行うための設定情報ＤＡ１が読み出し可能に記録されており、携帯端末１のＮＦＣ部２０が接触部１７２に接近すると設定情報ＤＡ１をＮＦＣ方式により無線送信する。この設定情報ＤＡ１には、プリンター１００自身が有するアクセスポイント機能のＳＳＩＤ（Service Set Identifier）とパスワード、プリンター１００のＭＡＣアドレス（Media Access Control Address）、プリンター１００のシリアル番号、といったプリンター１００を識別するための識別情報等を用いることができる。
【００３２】
Ｗｉ−Ｆｉ部１３０は、ＮＦＣ方式の近距離無線通信及びＢＬＥ方式の近距離無線通信よりも通信可能範囲が広い無線通信を行う通信インターフェイスである。Ｗｉ−Ｆｉ部１３０がWi-Fi Direct方式の無線通信を行う場合、Ｗｉ−Ｆｉ部１３０には無線ＬＡＮインターフェイスを用いることができる。Wi-Fi Directは、無線ＬＡＮアクセスポイントや無線ＬＡＮルーター等を介さずに、機器同士が一対一（ピアツーピア）で直接通信を行う仕様である。Wi-Fi Direct方式の無線通信は、ＮＦＣ方式の近距離無線通信よりも通信範囲が広く、且つ、ＮＦＣ方式の近距離無線通信よりも通信速度が速い。そこで、接近した携帯端末１をＮＦＣ方式の近距離無線通信により識別したうえWi-Fi Direct方式の無線通信により大量のデータを送受信することにしている。Wi-Fi Direct方式の無線通信は、第三の無線通信の例である。以下、Wi-Fi Direct方式を含むWi-Fiの無線通信を「Ｗｉ−Ｆｉ通信」と記載する。
【００３３】
コントローラー１４０は、ＣＰＵ（Central Processing Unit）１４１、メモリー１４２、等を備える。ＣＰＵ１４１は、プリンター１００における情報処理や制御を中心的に行う。メモリー１４２は、例えば、ＲＯＭ（Read Only Memory）、ＲＡＭ（Random Access Memory）、及び、フラッシュメモリーといった不揮発性メモリーを含む。メモリー１４２には、制御プログラムＰ０、ＮＦＣ方式の近距離無線通信がオンであるかオフであるかの設定ＳＵ１２、読み取り画像ＩＭ１のデータ、等が格納される。制御プログラムＰ０は、各部１１０，１２０，１３０，１４０，１４８，１５０，１６０の動作を制御する機能をプリンター１００に実現させる。
【００３４】
表示操作部１４８は、液晶表示パネル等といった表示部、及び、複数のキー等といった操作部を備え、プリンター１００の動作状態や各種設定画面等を表示部に表示し、ユーザーによる操作を操作部で受け付ける。表示部に液晶表示パネルを用い、操作部として液晶表示パネルに重ねられるタッチパネルを用いると、ユーザーによる液晶表示画面への接触操作を受け付けることができる。
【００３５】
印刷部１５０は、写真用紙、普通紙、ＯＨＰ（Overhead Projector）用紙、等といった被印刷物（Print Substrate）に画像を印刷する。例えば、プリンター１００が携帯端末１から画像ＩＭ１のデータを受信すると、印刷部１５０は、前記データに従って被印刷物上に画像ＩＭ１を形成する。印刷部１５０には、インクジェット方式の印刷装置、電子写真方式の印刷装置、等を用いることができる。
【００３６】
スキャン部１６０は、例えば、光源からの光を原稿に当てて原稿の画像ＩＭ１を読み取る。スキャン部１６０には、原稿台ガラスと原稿カバーとの間に原稿を配置するフラットベット式のスキャナー、原稿送り装置付きのスキャナー、等を用いることができる。
【００３７】
図１に示す携帯端末１は、ＢＬＥ部１０、ＮＦＣ部２０、Ｗｉ−Ｆｉ部３０、コントローラー４０、表示操作部４８、音声出力部５１、音声入力部５２、カメラ５３、等を備えている。携帯端末１には、スマートフォンといった携帯電話、タブレット型パーソナルコンピューター、ノート型パーソナルコンピューター、ＰＤＡ（Personal Digital Assistant）、携帯型音楽再生装置、携帯型動画再生装置、等が含まれる。
【００３８】
ＢＬＥ部１０は、プリンター１００等の外部装置とＢＬＥ方式の近距離無線通信を行う。ＢＬＥ部１０は、第一の近距離無線通信を行う第一無線通信部Ｕ１の例である。
【００３９】
ＮＦＣ部２０は、プリンター１００等の外部装置とＮＦＣ方式の近距離無線通信を行うＮＦＣリーダーであり、ＩＣ、ループアンテナ、及び、通信回路を備えている。ＮＦＣ部２０は、携帯端末１の設定でＮＦＣ方式の近距離無線通信がオン（有効）にされている時においてＮＦＣ方式の近距離無線通信を行い、ＮＦＣ方式の近距離無線通信がオフ（無効）にされている時においてＮＦＣ方式の近距離無線通信を行わない。尚、オンは通信可能な設定を意味し、オフは通信不可の設定を意味する。コントローラー４０のメモリー４２には、ＮＦＣ方式の近距離無線通信がオンであるかオフであるかの設定ＳＵ２が記憶されている。ＮＦＣ部２０、及び、このＮＦＣ部２０を制御するコントローラー４０は、第二の近距離無線通信が通信可能な設定にされている時において該第二の近距離無線通信を行う第二無線通信部Ｕ２の例である。携帯端末１の筐体７１（例えば携帯端末１の裏面）には、外部装置（１００）に携帯端末１を接触（タッチ）させるための接触部７２が設けられている。ＮＦＣ部２０は、携帯端末１の内部において接触部７２の近傍に配置されている。ＮＦＣ部２０は、ＮＦＣタグに接近すると該ＮＦＣタグから情報をＮＦＣ方式により無線受信する。尚、ＮＦＣリーダーは、相手方のＩＣにデータを書き込む機能を有するＮＦＣリーダー／ライターでもよい。
【００４０】
Ｗｉ−Ｆｉ部３０は、外部装置（１００）と近距離無線通信よりも通信可能範囲が広い無線通信を行う通信インターフェイスである。Ｗｉ−Ｆｉ部３０がＷｉ−Ｆｉ通信を行う場合、Ｗｉ−Ｆｉ部３０には無線ＬＡＮインターフェイスを用いることができる。Ｗｉ−Ｆｉ部３０は、Ｗｉ−Ｆｉ通信がオンにされている時においてＷｉ−Ｆｉ通信を行い、Ｗｉ−Ｆｉ通信がオフにされている時においてＷｉ−Ｆｉ通信を行わない。コントローラー４０のメモリー４２には、Ｗｉ−Ｆｉ通信がオンであるかオフであるかの設定ＳＵ３が記憶されている。Ｗｉ−Ｆｉ部３０、及び、このＷｉ−Ｆｉ部３０を制御するコントローラー４０は、第三無線通信部Ｕ３の例である。
【００４１】
コントローラー４０は、ＣＰＵ４１、メモリー４２、等を備える。ＣＰＵ４１は、携帯端末１における情報処理や制御を中心的に行う。メモリー４２は、例えば、ＲＯＭ、ＲＡＭ、及び、フラッシュメモリーといった不揮発性メモリーを含む。メモリー４２には、オペレーティングシステム（以下、「ＯＳ」と略す。）、アプリケーションプログラム（以下、「ＡＰＬ」と略す。）、設定情報ＤＡ１、印刷対象の画像ＩＭ１のデータ、ＮＦＣ方式の近距離無線通信がオンであるかオフであるかの設定ＳＵ２、Ｗｉ−Ｆｉ通信がオンであるかオフであるかの設定ＳＵ３、一時的に記憶される元の設定Ｓ０２，Ｓ０３、等が格納される。プリンター１００に対応したプリンター用ＡＰＬは、携帯端末１にインストールされることにより、ＯＳと協働して携帯端末１を本具体例の無線通信装置として機能させる。メモリー４２は、プリンター用ＡＰＬを記憶した記憶部ＵＭの例である。コントローラー４０は、制御部ＵＣの例である。
【００４２】
表示操作部４８は、液晶表示パネル等といった表示部、及び、タッチパネル等といった操作部を備え、携帯端末１の動作状態や各種設定画面等を表示部に表示し、ユーザーによる操作を操作部で受け付ける。表示部に液晶表示パネルを用い、操作部として液晶表示パネルに重ねられるタッチパネルを用いると、ユーザーによる液晶表示画面への接触操作を受け付けることができる。むろん、操作部に複数のキー等を用いることも可能である。
【００４３】
音声出力部５１は、電話回線等からの音声信号に従って音声を発生させる。音声出力部５１には、例えば、汎用のスピーカーを用いることができる。音声入力部５２は、ユーザー等からの音声を音声信号に変換する。音声入力部５２には、例えば、汎用のマイクロフォンを用いることができる。カメラ５３は、レンズを含む光学系、エリアイメージセンサー、画像処理回路、等を備え、撮影した画像ＩＭ１のデジタルデータを生成する。
【００４４】
図２は、携帯端末１で表示される各種画面の例を模式的に示している。図２に示す画面８１〜８５は、プリンター用ＡＰＬが携帯端末１に実現させる機能により表示される。
プリンター用ＡＰＬを実行させると、図２に示すメニュー画面８１が表示される。この画面８１には、カレントプリンターの表示領域８１ａ、写真ファイルを選択操作するための操作領域８１ｂ、文書ファイルを選択操作するための操作領域８１ｃ、ホームページを選択操作するための操作領域８１ｄ、スキャナーを設定操作するための操作領域８１ｅ、等が設けられている。カレントプリンター表示領域８１ａには、例えば、プリンター１００の機種名が表示される。ユーザーが写真の操作領域８１ｂに接触操作すると、写真の一覧画面８２が表示される。この画面８２には、複数の写真が表示される。ユーザーが一覧画面８２の写真のいずれかを接触操作すると、接触操作された写真のプレビュー画面８３が表示される。この画面８３に表示される写真を印刷対象の画像ＩＭ１とする。この画像ＩＭ１をプリンター１００で印刷することが可能な状態である場合、画像ＩＭ１の印刷を開始することを確認するための確認画面８５が表示される。この画面８５の印刷開始領域８５ａが接触操作されると、プリンター１００で画像ＩＭ１が印刷される。
【００４５】
プリンター用ＡＰＬは、他のＡＰＬによる呼び出し処理により起動させることも可能である。例えば、他のＡＰＬを起動させている状態で印刷したい画像ＩＭ１を選択操作し、操作メニュー８４ａを表示させると、プリンター用ＡＰＬのインストールにより追加された印刷操作領域８４ｂが表示される。図２に示す呼び出し画面８４には、印刷操作領域８４ｂが設けられた操作メニュー８４ａが表示されている。ユーザーが印刷操作領域８４ｂに接触操作すると、プリンター用ＡＰＬを起動させる呼び出し処理が行われ、印刷したい画像ＩＭ１のプレビュー画面８３が表示される。
【００４６】
ところで、携帯端末に搭載されたＮＦＣ部を外部装置のＮＦＣ部に近付けることで、携帯端末と外部装置とで情報のやりとりを容易に行うことができ、様々な機能が実現されている。ただし、これらの機能は、携帯端末のＮＦＣ機能がオンである状態でしか使用することができない。最近では、携帯端末の消費電力の節約が求められ、ＮＦＣ機能を利用した電子マネーが勝手に使用される等のセキュリティの問題も発生している。そのため、携帯端末のＮＦＣ機能がデフォルトでオフに設定されていたり、ユーザー操作によりオフに設定された状態で携帯端末が使用されていたりすることも多い。ＮＦＣ機能がオフに設定されていると、携帯端末を外部装置に近付けても、情報がやりとりされず、搭載された機能を使用することができないといった問題が発生する。また、外部装置も、携帯端末が近付いたことを感知することができないので、携帯端末のＮＦＣ機能をオンにする旨のメッセージをユーザーに通知することができない。さらに、プリンターが対応している、ＮＦＣを利用した無線接続方法の中にはWi-Fi機能といった無線機能を使用するものもあるので、ユーザーは、携帯端末の無線機能がオンであるかオフであるかも意識しなければならない。
【００４７】
しかし、携帯端末において、ＮＦＣ機能をオン又はオフに切り替える画面は、ユーザーに分かり難い深い階層にあることが多い。このため、携帯端末のＮＦＣ機能をオン又はオフに切り替えることは、ユーザーにとって困難なことが多く、切り替えることができたとしても手間が掛かってしまう。
以上のことがユーザビリティを低下させる原因となっている。
【００４８】
近年、ＮＦＣ方式よりも通信可能範囲が広いBluetooth（登録商標）方式の近距離無線通信として、ＢＬＥ方式の近距離無線通信が使用されるようになっている。ＢＬＥ方式の近距離無線通信は、従来のBluetooth（登録商標）方式の近距離無線通信と比べて極低電力で済むため、携帯端末に搭載しても常時オンで使用することができる。そこで、本具体例では、従来のBluetooth（登録商標）方式の近距離無線通信ではできなかった常時オンのＢＬＥ方式の近距離無線通信を利用して、ＢＬＥ部を搭載した外部装置にＢＬＥ部を搭載した携帯端末が近付いた場合において携帯端末のＮＦＣ機能とWi-Fi機能を自動的にオンに設定することにしている。
【００４９】
以下、上述したシステムＳＹ１で行われる処理の例を順次、説明する。尚、プリンター１００、及び、携帯端末１は、マルチタスクにより複数の処理を並列して実行している。むろん、図３，６〜９に示す処理等、本技術の実施のために行う処理は、ＣＰＵが実行する例に限定されず、他の電子部品［例えば、ＡＳＩＣ（Application Specific Integrated Circuit）］によって実行されてもよい。また、本技術の実施のために行う処理は、複数のＣＰＵにより分散処理されてもよいし、ＣＰＵと電子部品（例えばＡＳＩＣ）とが協働して動作することにより実行されてもよい。
【００５０】
（３）無線通信装置の第一の処理例：
図３は、携帯端末１が画像ＩＭ１をプリンター１００に送信して印刷させる印刷制御処理の例を示している。この処理は、プリンター用の専用ＡＰＬが携帯端末１にインストールされていることを前提として、携帯端末１がプリンター１００から一定の距離まで近付くと専用ＡＰＬが起動してＮＦＣ機能とWi-Fi機能をオンにすることを想定している。ここで、ステップＳ１０２〜Ｓ１０４の処理はＯＳに従って行われ、ステップＳ１０６〜Ｓ１２２の処理は専用ＡＰＬに従って行われる。以下、「ステップ」の記載を省略する。図３に示す印刷制御処理は、携帯端末１の電源がオンである時に繰り返し行われる。Ｓ１０２〜Ｓ１２２の処理を行うＯＳ及び専用ＡＰＬは、携帯端末１を制御部ＵＣとして機能させる。尚、ＯＳを実行する携帯端末１が行う処理を単に「ＯＳが行う処理」と説明し、ＡＰＬが実行する携帯端末１が行う処理を単に「ＡＰＬが行う処理」と説明することにする。
【００５１】
携帯端末１のＢＬＥ部１０は、常時、オンであり、プリンター１００等からのＢＬＥ方式の近距離無線通信によるビーコンを受信可能である。ＯＳは、常時、ＢＬＥ方式の近距離無線通信によるビーコンが検知されたか否かを監視している。図４は、プリンター１００からのＢＬＥ方式の近距離無線通信によるビーコンの構造例を模式的に示している。図４に示すビーコンＢ１には、プリンター１００の機種を表す機種情報、ビーコンＢ１が検知された時に実行するＡＰＬを指定した指定ＡＰＬ情報、プリンター１００がＮＦＣ部１２０を搭載しているか否かを表すＮＦＣ搭載情報、等が含まれている。
【００５２】
図３に示す印刷制御処理が開始されている状態で、携帯端末１を持っているユーザーがプリンター１００に近付く、すなわち、携帯端末１がプリンター１００に近付く時に、ＯＳは、プリンター１００からのＢＬＥ方式の近距離無線通信によるビーコンＢ１が検知されたか否かを判断し（Ｓ１０２）、前記ビーコンＢ１が検知されるまでＳ１０２の判断処理を繰り返す。携帯端末１がプリンター１００から一定の距離まで近付くと、ＢＬＥ部１０は、プリンター１００からのビーコンＢ１を受信することができる。このビーコンＢ１が受信されると、ＢＬＥ方式の近距離無線通信により携帯端末１がプリンター１００に一定の距離まで接近したことが検出されたことになる。ビーコンＢ１が受信されると、ＯＳは、ビーコンＢ１に含まれる指定ＡＰＬ情報で示される専用ＡＰＬを起動する（Ｓ１０４）。専用ＡＰＬが起動すると、図２で示したメニュー画面８１が携帯端末１に表示されるものとする。
【００５３】
専用ＡＰＬの起動後、専用ＡＰＬは、ＮＦＣ部２０の設定ＳＵ２、及び、Ｗｉ−Ｆｉ部３０の設定ＳＵ３をメモリー４２に記憶する（Ｓ１０６）。ＮＦＣ部２０の設定ＳＵ２はＮＦＣ方式の近距離無線通信に設定されていた元の設定Ｓ０２となり、Ｗｉ−Ｆｉ部３０の設定ＳＵ３はＷｉ−Ｆｉ通信に設定されていた元の設定Ｓ０３となる。
ＮＦＣ部２０とＷｉ−Ｆｉ部３０の設定の記憶後、専用ＡＰＬは、ＮＦＣ方式の近距離無線通信、及び、Ｗｉ−Ｆｉ通信をオン（ＯＮ）にする処理を行う（Ｓ１０８）。
【００５４】
図５は、ＮＦＣ方式の近距離無線通信とＷｉ−Ｆｉ通信がともにデフォルトでオフ（ＯＦＦ）の設定である場合に携帯端末１の位置に応じてＮＦＣ部２０の設定ＳＵ２とＷｉ−Ｆｉ部３０の設定ＳＵ３が変わる様子を模式的に示している。図５に示す例では、Ｓ１０６の処理において、ＮＦＣ部２０のオフの設定が元の設定Ｓ０２として記憶され、Ｗｉ−Ｆｉ部３０のオフの設定が元の設定Ｓ０３として記憶される。携帯端末１がプリンター１００に接近すると、Ｓ１０８の処理において、ＮＦＣ部２０の設定ＳＵ２がオフからオンに切り替わり、Ｗｉ−Ｆｉ部３０の設定ＳＵ３がオフからオンに切り替わる。従って、ＢＬＥ方式の近距離無線通信によりプリンター１００との接近が検出されると、ＮＦＣ方式の近距離無線通信がオンに設定され、Ｗｉ−Ｆｉ通信がオンに設定されることになる。
むろん、ＮＦＣ部２０の元の設定Ｓ０２がオンであればＮＦＣ部２０の設定ＳＵ２はオンのままであり、Ｗｉ−Ｆｉ部３０の元の設定Ｓ０３がオンであればＷｉ−Ｆｉ部３０の設定ＳＵ３はオンのままである。
【００５５】
その後、ユーザーが携帯端末１の接触部７２をプリンター１００の接触部１７２に接近させると、専用ＡＰＬは、ＮＦＣ部２０によりプリンター１００とＮＦＣ方式の近距離無線通信を行ってプリンター１００からＷｉ−Ｆｉ通信を行うための設定情報ＤＡ１を受信してメモリー４２に格納する（Ｓ１１０）。この時、プリンター１００のＮＦＣ部１２０は、プリンター１００の識別情報といった設定情報ＤＡ１をＮＦＣ方式の近距離無線通信により送信する。携帯端末１のＮＦＣ部２０が設定情報ＤＡ１を受信することにより、携帯端末１とプリンター１００との間に初期段階の接続が確立したことになる。
【００５６】
設定情報ＤＡ１の受信後、専用ＡＰＬは、Ｗｉ−Ｆｉ部３０により設定情報ＤＡ１に基づいてプリンター１００と無線接続を確立する（Ｓ１１２）。例えば、携帯端末１のＷｉ−Ｆｉ部３０が設定情報ＤＡ１（ＳＳＩＤ及びパスワード等）を含む接続要求を送信し、プリンター１００のＷｉ−Ｆｉ部１３０が接続要求を受信すると、携帯端末１とプリンター１００との間にＷｉ−Ｆｉ通信による接続が確立される。例えば、設定情報ＤＡ１に含まれるＳＳＩＤとパスワードが、プリンター自身が有するアクセスポイントのＳＳＩＤとパスワードであった場合、携帯端末とプリンターとの間で、外部のアクセスポイントを介さないダイレクトな無線接続（Ｗｉ−Ｆｉ  Ｄｉｒｅｃｔ接続）が確立される。なお、設定情報ＤＡ１に含まれるＳＳＩＤとパスワードを、プリンターが接続している外部アクセスポイントのＳＳＩＤとパスワードとして、携帯端末とプリンターとの間で、外部のアクセスポイントを介したＷｉ−Ｆｉの無線接続を確立するようにしてもよい。むろん、Ｗｉ−Ｆｉ通信による接続を確立するために、設定情報ＤＡ１以外の情報も携帯端末のＷｉ−Ｆｉ部３０が送信してプリンターのＷｉ−Ｆｉ部１３０が受信してもよい。
【００５７】
Ｗｉ−Ｆｉ通信による接続が確立されると、印刷対象の画像ＩＭ１の指定を受け付け、印刷対象の画像ＩＭ１からプリンター１００の仕様に合わせた印刷用データを生成してＷｉ−Ｆｉ通信によりプリンター１００に送信する（Ｓ１１４）。例えば、図２に示すメニュー画面８１が携帯端末１に表示されている場合、写真の操作領域８１ｂが接触操作されると専用ＡＰＬは写真の一覧画面８２を表示し、一覧画面８２の写真のいずれかが接触操作されると専用ＡＰＬは前記接触操作された写真のプレビュー画面８３を表示する。Ｓ１１２の処理によりＷｉ−Ｆｉ通信が確立されると、専用ＡＰＬは、プレビュー画面８３に表示されている画像ＩＭ１の印刷を開始することを確認するための確認画面８５を表示する。この画面８５の印刷開始領域８５ａが接触操作されると、専用ＡＰＬは、確認画面８５に表示されている画像ＩＭ１から印刷用データを生成してプリンター１００に送信する。プリンター１００は、印刷用データをＷｉ−Ｆｉ通信により受信し、印刷用データの受信が完了するとＷｉ−Ｆｉ通信により受信完了通知をプリンター１００に送信する。
【００５８】
携帯端末１が上記受信完了通知をＷｉ−Ｆｉ通信により受信すると、印刷用データの送信完了を確認したことになる（Ｓ１１６）。この時、専用ＡＰＬは、画像ＩＭ１のデータの送信が完了した旨を表示してもよい。印刷用データを受信したプリンター１００は、印刷部１５０において印刷用データに従って画像ＩＭ１を被印刷物に印刷する。
【００５９】
画像ＩＭ１の印刷を確認したユーザーが携帯端末１を持ってプリンター１００から離れる、すなわち、携帯端末１がプリンター１００から離れる時に、専用ＡＰＬは、プリンター１００からのＢＬＥ方式の近距離無線通信によるビーコンＢ１が検知されているか否かを判断し（Ｓ１１８）、前記ビーコンＢ１が検知されなくなるまでＳ１１８の判断処理を繰り返す。Ｓ１１８の処理は、ＯＳからプリンター１００のビーコンＢ１が検知されているか否かを表す情報を受け取ることにより行うことができる。携帯端末１がプリンター１００から一定の距離を超えて離れると、ＢＬＥ部１０は、プリンター１００からのビーコンＢ１を受信することができなくなる。このビーコンＢ１が受信されなくなると、ＢＬＥ方式の近距離無線通信により携帯端末１がプリンター１００に一定の距離まで接近していることが検出されなくなったことになる。この場合、専用ＡＰＬは、ＮＦＣ方式の近距離無線通信、及び、Ｗｉ−Ｆｉ通信を元の設定Ｓ０２，Ｓ０３に戻す処理を行う（Ｓ１２０）。
【００６０】
図５に示す例では、携帯端末１がプリンター１００から離れると、Ｓ１２０の処理において、ＮＦＣ部２０の設定ＳＵ２がオンからデフォルトのオフに切り替わり、Ｗｉ−Ｆｉ部３０の設定ＳＵ３がオンからデフォルトのオフに切り替わる。従って、ＮＦＣ方式の近距離無線通信によりプリンター１００との接近が検出されなくなると、ＮＦＣ方式の近距離無線通信がオフに戻り、Ｗｉ−Ｆｉ通信がオフに戻ることになる。
むろん、ＮＦＣ部２０の元の設定Ｓ０２がオンであればＮＦＣ部２０の設定ＳＵ２はオンのままであり、Ｗｉ−Ｆｉ部３０の元の設定Ｓ０３がオンであればＷｉ−Ｆｉ部３０の設定ＳＵ３はオンのままである。
【００６１】
その後、専用ＡＰＬが終了し（Ｓ１２２）、印刷制御処理が終了する。尚、図３に示す印刷制御処理からＳ１２２の処理を無くし、専用ＡＰＬが終了しないようにしてもよい。
【００６２】
以上説明したように、本具体例では、ＮＦＣ方式の近距離無線通信やＷｉ−Ｆｉ通信がオフにされている状態（通信可能な設定にされていない状態）で携帯端末１がプリンター１００に近付くと、ＮＦＣ方式の近距離無線通信やＷｉ−Ｆｉ通信がオン（通信可能な設定）に切り替わる。これにより、携帯端末１がプリンター１００に近付いた時にＮＦＣ方式の近距離無線通信やＷｉ−Ｆｉ通信が行われない事態が回避される。その際、ユーザーは、ＮＦＣ機能やWi-Fi機能をオン又はオフに切り替える画面を探すために深い階層を手繰っていく面倒な操作を行う必要が無い。従って、本具体例は、ユーザーの利便性を向上させることが可能な技術を提供することができる。
【００６３】
尚、図３に示す印刷制御処理からＳ１１８の処理を無くし、Ｓ１１６でプリンター１００から印刷用データの受信完了通知を受信したことをトリガーとしてＳ１２０でＮＦＣ方式の近距離無線通信、及び、Ｗｉ−Ｆｉ通信を元の設定Ｓ０２，Ｓ０３に戻す処理を行ってもよい。この場合、携帯端末１がプリンター１００から一定の距離の範囲内にあっても印刷制御処理が一旦終了することになるが、携帯端末１がプリンター１００から一定の距離の範囲内にあるとＯＳが印刷制御処理を再び開始させることになる。
【００６４】
（４）無線通信装置の第二の処理例：
図６は、印刷制御処理の別の例を示している。この処理は、プリンター用の専用ＡＰＬが携帯端末１にインストールされて起動していることを前提として、携帯端末１がプリンター１００から一定の距離まで近付くと専用ＡＰＬがＮＦＣ機能とWi-Fi機能をオンにすることを想定している。専用ＡＰＬの起動により図２で示したメニュー画面８１が携帯端末１に表示されているものとする。図６に示す印刷制御処理は、専用ＡＰＬが起動している時に繰り返し行われる。図３で示した印刷制御処理と比べて、図６に示す印刷制御処理は、Ｓ１０２〜Ｓ１０４，Ｓ１２２の処理が無く、Ｓ１０６の前にＳ１３２の処理が追加されている。Ｓ１３２，Ｓ１０６〜Ｓ１２０の処理を行う専用ＡＰＬは、携帯端末１を制御部ＵＣとして機能させる。
【００６５】
図６に示す印刷制御処理が開始されている状態で、携帯端末１がプリンター１００に近付く時に、専用ＡＰＬは、プリンター１００からのＢＬＥ方式の近距離無線通信によるビーコンＢ１が検知されたか否かを判断し（Ｓ１３２）、前記ビーコンＢ１が検知されるまでＳ１３２の判断処理を繰り返す。携帯端末１がプリンター１００から一定の距離まで近付くと、前記ビーコンＢ１が検知され、専用ＡＰＬは、ＮＦＣ部２０の設定ＳＵ２、及び、Ｗｉ−Ｆｉ部３０の設定ＳＵ３をメモリー４２に記憶する（Ｓ１０６）。その後、専用ＡＰＬは、ＮＦＣ方式の近距離無線通信、及び、Ｗｉ−Ｆｉ通信をオンにする処理を行い、ＮＦＣ部２０により設定情報ＤＡ１を受信し、Ｗｉ−Ｆｉ通信を確立し、印刷用データをプリンター１００に送信する（Ｓ１０８〜Ｓ１１４）。例えば、専用ＡＰＬは、図２に示すメニュー画面８１から一覧画面８２を経てプレビュー画面８３を携帯端末１に表示すると、Ｗｉ−Ｆｉ通信の確立により確認画面８５を表示する。この画面８５の印刷開始領域８５ａが接触操作されると、専用ＡＰＬは、確認画面８５に表示されている画像ＩＭ１から印刷用データを生成してプリンター１００に送信する。
【００６６】
プリンター１００からの受信完了通知を携帯端末１がＷｉ−Ｆｉ部の無線通信により受信すると（Ｓ１１６）、携帯端末１がプリンター１００から離れる時に、専用ＡＰＬは、プリンター１００からのＢＬＥ方式の近距離無線通信によるビーコンＢ１が検知されているか否かを判断する（Ｓ１１８）。このビーコンＢ１が検知されなくなると、専用ＡＰＬは、ＮＦＣ方式の近距離無線通信、及び、Ｗｉ−Ｆｉ部による無線通信の設定を元の設定Ｓ０２，Ｓ０３に戻す処理を行い（Ｓ１２０）、印刷制御処理を終了させる。
【００６７】
以上説明したように、第二の処理例でも、ＮＦＣ方式の近距離無線通信やＷｉ−Ｆｉ通信がオフにされている状態で携帯端末１がプリンター１００に近付いた時にＮＦＣ方式の近距離無線通信やＷｉ−Ｆｉ通信が行われない事態が回避される。従って、第二の処理例も、ユーザーの利便性を向上させることが可能な技術を提供することができる。
【００６８】
（５）無線通信装置の第三の処理例：
図７は、印刷制御処理の別の例を示している。この処理は、プリンター用の専用ＡＰＬが携帯端末１にインストールされて起動していることを前提として、携帯端末１がプレビュー画面８３を表示している状態でプリンター１００から一定の距離まで近付くと専用ＡＰＬがＮＦＣ機能とWi-Fi機能をオンにすることを想定している。図７に示す印刷制御処理は、専用ＡＰＬが起動している時に繰り返し行われる。図６で示した第二の処理例の印刷制御処理と比べて、図７に示す印刷制御処理は、Ｓ１３２の前にＳ２０２〜Ｓ２０４の処理が追加されている。Ｓ２０２〜Ｓ２０４，Ｓ１３２，Ｓ１０６〜Ｓ１２０の処理を行う専用ＡＰＬは、携帯端末１を制御部ＵＣとして機能させる。
【００６９】
図７に示す印刷制御処理が開始されている状態で、専用ＡＰＬは、印刷対象の画像ＩＭ１のプレビュー画面８３を表示しているか否かに応じて処理を分岐させる（Ｓ２０２）。ここで、「印刷」はプリンター１００とＮＦＣ方式の近距離無線通信を必要とする処理の例であり、プレビュー画面８３はプリンター１００とＮＦＣ方式の近距離無線通信を必要とする処理を行うための画面の例であり、プレビュー画面８３の画像ＩＭ１は表示させる操作を受け付けた画像の例である。プレビュー画面８３が表示されていない場合、専用ＡＰＬは、Ｓ１３２，Ｓ１０６〜Ｓ１２０の処理とは異なる処理を行って（Ｓ２０４）、処理をＳ２０２に戻す。プレビュー画面８３が表示されている場合、専用ＡＰＬは、第二の処理例と同じＳ１３２，Ｓ１０６〜Ｓ１２０の処理を行って印刷制御処理を終了させる。
以上より、表示させる操作を受け付けた画像ＩＭ１といったプレビュー画面８３が表示されている状態においてＢＬＥ方式の近距離無線通信によりプリンター１００との接近が検出されると、ＮＦＣ方式の近距離無線通信、及び、Ｗｉ−Ｆｉ通信をオンにする処理が行われる。プレビュー画面８３が表示されていない状態においては、プリンター１００との接近が検出されてもＮＦＣ方式の近距離無線通信、及び、Ｗｉ−Ｆｉ通信の設定が維持される。
【００７０】
表示させる操作を受け付けた画像ＩＭ１といったプレビュー画面８３が表示されている状態においてプリンター１００との接近が検出される場合は、印刷が行われる可能性が高い場合と推定される。この場合にＮＦＣ方式の近距離無線通信やＷｉ−Ｆｉ通信がオンに設定されるので、第三の処理例は、ユーザーの利便性をさらに向上させることが可能な技術を提供することができる。
【００７１】
（６）無線通信装置の第四の処理例：
図８は、印刷制御処理の別の例を示している。この処理は、プリンター１００がＮＦＣ部１２０を搭載している場合に限定して、携帯端末１がプリンター１００から一定の距離まで近付くと専用ＡＰＬがＮＦＣ機能とWi-Fi機能をオンにすることを想定している。図８に示す印刷制御処理は、専用ＡＰＬが起動している時に繰り返し行われる。図６で示した第二の処理例の印刷制御処理と比べて、図８に示す印刷制御処理は、Ｓ１３２，Ｓ１０６の間にＳ３０２〜Ｓ３０４の処理が追加されている。Ｓ１３２，Ｓ３０２〜Ｓ３０４，Ｓ１０６〜Ｓ１２０の処理を行う専用ＡＰＬは、携帯端末１を制御部ＵＣとして機能させる。
【００７２】
Ｓ１３２において専用ＡＰＬがプリンター１００からのＢＬＥ方式の近距離無線通信によるビーコンＢ１を検知すると、専用ＡＰＬは、プリンター１００がＮＦＣ部１２０を搭載しているか否かを判断する（Ｓ３０２）。例えば、図４に示すビーコンＢ１には、プリンター１００がＮＦＣ部１２０を搭載しているか否かを表すＮＦＣ搭載情報が含まれている。この場合、専用ＡＰＬは、ビーコンＢ１に含まれるＮＦＣ搭載情報がＮＦＣ部１２０を搭載していることを表す情報であるか否かを判断すればよい。プリンター１００がＮＦＣ部１２０を搭載していない場合、専用ＡＰＬは、Ｓ１０６〜Ｓ１２０の処理とは異なる処理を行う（Ｓ３０４）。プリンター１００がＮＦＣ部１２０を搭載している場合、専用ＡＰＬは、第二の処理例と同じＳ１０６〜Ｓ１２０の処理を行って印刷制御処理を終了させる。
以上より、ＢＬＥ方式の近距離無線通信によりプリンター１００との接近が検出されると、ＮＦＣ部２０によりプリンター１００から受信される情報がＮＦＣ方式の近距離無線通信に対応していることを表す情報である場合においてＮＦＣ方式の近距離無線通信、及び、Ｗｉ−Ｆｉ通信をオンにする処理が行われる。プリンター１００がＮＦＣ方式の近距離無線通信に対応していない場合においては、携帯端末１とプリンター１００とが接近してもＮＦＣ方式の近距離無線通信、及び、Ｗｉ−Ｆｉ通信の設定が維持される。
【００７３】
プリンター１００がＮＦＣ方式の近距離無線通信に対応していない場合、ＮＦＣ方式の近距離無線通信、及び、Ｗｉ−Ｆｉ通信をオンにすることは、消費電力が増え、セキュリティが低下することに繋がる。第四の処理例は、プリンター１００がＮＦＣ方式の近距離無線通信に対応している場合に限定してＮＦＣ方式の近距離無線通信をオンにすることができる。従って、第四の処理例は、ユーザーの利便性をさらに向上させることが可能な技術を提供することができる。
尚、図３で示したように、第四の処理例をＯＳが専用ＡＰＬを起動させる処理に変更することも可能である。
【００７４】
（７）無線通信装置の第五の処理例：
図９は、携帯端末１とプリンター１００が行う処理の例を示している。この処理は、プリンター１００のＮＦＣ部１２０が、例えば、表示制御部等へのユーザー操作によりオン（有効）またはオフ（無効）に設定可能な構成であることを前提として、プリンター１００のＮＦＣ部１２０をオンにする情報をＢＬＥ方式の近距離無線通信により携帯端末１からプリンター１００に送信してプリンター１００のＮＦＣ部１２０をオンにすることを想定している。尚、コントローラー１４０のメモリー１４２には、ＮＦＣ方式の近距離無線通信がオンであるかオフであるかの設定ＳＵ１２が記憶されている。ＮＦＣ部１２０、及び、このＮＦＣ部１２０を制御するコントローラー１４０は、外部装置用無線通信部Ｕ１２の例である。図９に示す処理は、繰り返し行われる。携帯端末１が行う印刷制御処理は、図６で示した第二の処理例の印刷制御処理と比べて、Ｓ１３２，Ｓ１０６の間にＳ４０２の処理が追加されている。Ｓ１３２，Ｓ４０２，Ｓ１０６〜Ｓ１２０の処理を行う専用ＡＰＬは、携帯端末１を制御部ＵＣとして機能させる。
【００７５】
Ｓ１３２において専用ＡＰＬがプリンター１００からのＢＬＥ方式の近距離無線通信によるビーコンＢ１を検知すると、専用ＡＰＬは、ＢＬＥ部１０によりプリンター１００とＢＬＥ方式の近距離無線通信を確立し、プリンター１００のＮＦＣ部１２０をオンにする情報であるＮＦＣオン指示をＢＬＥ部１０によりプリンター１００に送信する処理を行う（Ｓ４０２）。プリンター１００は、ＮＦＣオン指示をＢＬＥ部１１０により受信すると、ＮＦＣ部１２０の設定ＳＵ１２をメモリー１４２に記憶する（Ｓ４１２）。
【００７６】
ＮＦＣオン指示の送信後、専用ＡＰＬは、図６のＳ１０６〜Ｓ１１４と同じ処理を行い、ＮＦＣ方式の近距離無線通信、及び、Ｗｉ−Ｆｉ通信をオンにする処理を行って印刷用データをＷｉ−Ｆｉ通信によりプリンター１００に送信する。プリンター１００は、Ｗｉ−Ｆｉ通信により印刷用データを受信し（Ｓ４１４）、印刷用データの受信が完了するとＷｉ−Ｆｉ通信により受信完了通知を携帯端末１に送信する（Ｓ４１６）。携帯端末１が上記受信完了通知をＷｉ−Ｆｉ通信により受信すると、印刷用データの送信完了を確認したことになる（Ｓ１１６）。その後、専用ＡＰＬは、図６のＳ１１８〜Ｓ１２０と同じ処理を行い、印刷制御処理を終了させる。
【００７７】
受信完了通知の送信後、プリンター１００は、印刷部１５０において印刷用データに従って画像ＩＭ１を被印刷物に印刷する（Ｓ４１８）。その後、プリンター１００は、ＮＦＣ方式の近距離無線通信をメモリー１４２にある元の設定に戻す処理を行い（Ｓ４２０）、印刷処理を終了させる。
【００７８】
以上より、携帯端末１がＢＬＥ部１０によりプリンター１００とのＢＬＥ方式の近距離無線通信を確立してＮＦＣオン指示をＢＬＥ部１０によりプリンター１００に送信する処理を行うと、プリンター１００のＢＬＥ部１１０がオンにされて携帯端末１とプリンター１００とが無線接続される。従って、第五の処理例は、ユーザーの利便性をさらに向上させることが可能な技術を提供することができる。
尚、図３で示したように、第五の処理例の印刷制御処理をＯＳが専用ＡＰＬを起動させる処理に変更することも可能である。
【００７９】
（８）その他変形例：
本発明は、種々の変形例が考えられる。
例えば、外部装置は、単機能のスキャナー等といった画像読取装置でもよいし、ＭＦＰやファクシミリでもよい。
上述した処理は、順番を入れ替える等、適宜、変更可能である。例えば、図９のプリンター１００の印刷処理において、画像ＩＭ１を印刷するＳ４１８の処理をＳ４１６の受信完了通知の処理の前に行うことが可能である。
携帯端末１のＷｉ−Ｆｉ通信が常時オンに設定されている場合、図３，６〜９のＳ１０６の処理においてＷｉ−Ｆｉ通信の設定を記憶しなくてもよく、図３，６〜９のＳ１０８の処理においてＷｉ−Ｆｉ通信をオンにしなくてもよく、図３，６〜９のＳ１２０の処理においてＷｉ−Ｆｉ通信を元の設定に戻さなくてもよい。
【００８０】
外部装置からのビーコンに携帯端末と外部装置との距離を表す情報が含まれる場合、該情報で表される距離が所定範囲内であることが検出された時にＮＦＣ方式の近距離無線通信をオンにする処理を行ってもよく、前記情報で表される距離が所定範囲外であることが検出された時にはＮＦＣ方式の近距離無線通信の設定を維持してもよい。
尚、携帯端末と外部装置との間で、Ｗｉ−Ｆｉ通信を行わず、ＢＬＥ方式の近距離無線通信によりデータの送受信を行う場合も、本技術に含まれる。
【００８１】
（９）結び：
以上説明したように、本発明によると、種々の態様により、ユーザーの利便性を向上させることが可能な技術等を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００８２】
１…携帯端末（無線通信装置）、１０…ＢＬＥ部、２０…ＮＦＣ部、３０…Ｗｉ−Ｆｉ部、４０…コントローラー、４２…メモリー、４８…表示操作部、７２…接触部、８１…メニュー画面、８２…一覧画面、８３…プレビュー画面、８４…呼び出し画面、８５…確認画面、１００…プリンター（外部装置）、１１０…ＢＬＥ部、１２０…ＮＦＣ部、１３０…Ｗｉ−Ｆｉ部、１４０…コントローラー、１４２…メモリー、１４８…表示操作部、１５０…印刷部、１６０…スキャン部、１７２…接触部、ＡＰＬ…アプリケーションプログラム、Ｂ１…ビーコン、ＤＡ１…設定情報、ＩＭ１…画像、Ｓ０２，Ｓ０３…元の設定、ＳＵ２，ＳＵ３，ＳＵ１２…設定、Ｕ１…第一無線通信部、Ｕ２…第二無線通信部、Ｕ３…第三無線通信部、Ｕ１２…外部装置用無線通信部、ＵＣ…制御部、ＵＭ…記憶部。
【図１】
2018074458.tif 000003
【図２】
2018074458.tif 000004
【図３】
2018074458.tif 000005
【図４】
2018074458.tif 000006
【図５】
2018074458.tif 000007
【図６】
2018074458.tif 000008
【図７】
2018074458.tif 000009
【図８】
2018074458.tif 000010
【図９】
2018074458.tif 000011